(57)【要約】【課題】不特定多数向けの広告領域の利用により、個人間のメッセージを強力なインパクトで伝達する。【解決手段】クライアントシステムから、メッセージと、配信先のユーザを識別する配信先ＩＤと、の入力を受け付けて、それらメッセージと配信先ＩＤとを対応付けてメッセージ記憶手段２０に記憶させるメッセージ受付手段１０と、メッセージ記憶手段２０に記憶されている配信先ＩＤによるウェブページへのアクセスに対して、その配信先ＩＤに対応付けられたメッセージをメッセージ記憶手段２０から取得して、そのメッセージを広告領域に組み込んだウェブページを表示するメッセージ表示制御手段３０と、配信先ＩＤ以外のＩＤによるウェブページに対するアクセスに対しては、広告領域に所定の広告情報を組み込んだウェブページを表示する広告表示制御手段５０と、をコンピュータで実現する。【選択図】図１
2010250788.tif 000002
【特許請求の範囲】
【請求項１】
通信ネットワーク経由でアクセスしてくる各クライアントシステムに対して、予め決められた所定の広告領域が設けられたウェブページを配信する配信手段と、
いずれかの前記クライアントシステムから、メッセージと、配信先のユーザを識別する配信先ＩＤと、の入力を受け付けて、それらメッセージと配信先ＩＤとを対応付けて所定のメッセージ記憶手段に記憶させるメッセージ受付手段と、
前記メッセージ記憶手段に記憶されている配信先ＩＤによる前記ウェブページへのアクセスに対して、その配信先ＩＤに対応付けられたメッセージを前記メッセージ記憶手段から取得して、そのメッセージを前記広告領域に組み込んだ前記ウェブページを表示するメッセージ表示制御手段と、
前記配信先ＩＤ以外のＩＤによる前記ウェブページに対するアクセスに対しては、前記広告領域に所定の広告情報を組み込んだ前記ウェブページを表示する広告表示制御手段と、
をコンピュータで実現したことを特徴とするサーバ装置。
【請求項２】
前記メッセージ表示制御手段は、表示しようとするウェブページが、メッセージを前記広告領域に組み込むことができるものとして予め決められた対象のウェブページであるか否かを判定し、そのような対象のウェブページの場合に、メッセージを前記広告領域に組み込む
ことを特徴とする請求項１記載のサーバ装置。
【請求項３】
前記メッセージ受付手段は、前記メッセージごとに、前記広告領域が設けられ前記配信手段が配信するウェブページの中で、そのメッセージを表示すべきウェブページの指定を受け付けて、そのウェブページを特定するページ識別情報をそのメッセージ及び配信先ＩＤと対応付けて前記メッセージ記憶手段に記憶させ、
前記メッセージ表示制御手段は、前記メッセージ記憶手段に記憶されている配信先ＩＤによるアクセス先のウェブページが、その配信先ＩＤに対応付けられている前記ページ識別情報と一致する場合に、その配信先ＩＤ及びページ識別情報に対応付けられたメッセージをそのウェブページの前記広告領域に組み込む
ことを特徴とする請求項１又は２記載のサーバ装置。
【請求項４】
前記メッセージ受付手段は、前記メッセージごとに、配信時期について指定を受け付けてそのメッセージ及び配信先ＩＤと対応付けて前記メッセージ記憶手段に記憶させ、
前記メッセージ表示制御手段は、前記メッセージ記憶手段に記憶されている配信先ＩＤによるアクセスの日時が、その配信先ＩＤに対応付けられている前記配信時期と適合する場合に、その配信先ＩＤ及び配信時期に対応付けられたメッセージをそのウェブページの前記広告領域に組み込む
ことを特徴とする請求項１から３のいずれか一項に記載のサーバ装置。
【請求項５】
コンピュータで実現するサーバ装置で実行する情報処理方法において、
通信ネットワーク経由でアクセスしてくる各クライアントシステムに対して、予め決められた所定の広告領域が設けられたウェブページを配信する配信処理ステップと、
いずれかの前記クライアントシステムから、メッセージと、配信先のユーザを識別する配信先ＩＤと、の入力を受け付けて、それらメッセージと配信先ＩＤとを対応付けて所定のメッセージ記憶手段に記憶させるメッセージ受付処理ステップと、
前記メッセージ記憶手段に記憶されている配信先ＩＤによる前記ウェブページへのアクセスに対して、その配信先ＩＤに対応付けられたメッセージを前記メッセージ記憶手段から取得して、そのメッセージを前記広告領域に組み込んだ前記ウェブページを表示するメッセージ表示制御処理ステップと、
前記配信先ＩＤ以外のＩＤによる前記ウェブページに対するアクセスに対しては、前記広告領域に所定の広告情報を組み込んだ前記ウェブページを表示する広告表示制御処理ステップと、
をコンピュータで実行することを特徴とする情報処理方法。
【発明の詳細な説明】
【技術分野】
【０００１】  本発明は、通信ネットワーク経由でメッセージを伝達する技術に関する。
【背景技術】
【０００２】  インターネットで多く見受けられるウェブページは、記事などのコンテンツと、広告と、で構成される。コンテンツは、具体的には多様なものが存在するが、相対的に多くの人が見るものとしては、ニュースやブログなどの記事があり、個人的なものとしては、ウェブメールの画面などが挙げられる。【０００３】  一方、広告は、ページの目立つ位置に予め設定された矩形などの広告領域（広告表示エリア）に、画像や動画などを表示するもので、バナー広告やディスプレイ広告などと呼ばれる。近年、このようなウェブページの広告として、ユーザの属性や嗜好などに応じた広告を表示する（例えば、特許文献１参照）いわゆるターゲティング広告も知られている。
【先行技術文献】
【特許文献】
【０００４】
【特許文献１】特開２００３−５６８６号公報
【発明の概要】
【発明が解決しようとする課題】
【０００５】  しかし、上記のようなターゲティング広告も、対象者を条件付けはするが、あくまで不特定多数に同じ内容の広告を提示するものである。すなわち、従来、不特定多数向けの広告と、個人的な情報伝達は、相互に異質な両極の存在で、両者を組合せてより有効に活用する技術は知られていなかった。【０００６】  本発明は、上記のような背景に基づくもので、その目的は、不特定多数向けの広告領域の利用により、個人間のメッセージを強力なインパクトで伝達することである。
【課題を解決するための手段】
【０００７】  上記の目的をふまえ、本発明の一態様は、サーバ装置において、通信ネットワーク経由でアクセスしてくる各クライアントシステムに対して、予め決められた所定の広告領域が設けられたウェブページを配信する配信手段と、いずれかの前記クライアントシステムから、メッセージと、配信先のユーザを識別する配信先ＩＤと、の入力を受け付けて、それらメッセージと配信先ＩＤとを対応付けて所定のメッセージ記憶手段に記憶させるメッセージ受付手段と、前記メッセージ記憶手段に記憶されている配信先ＩＤによる前記ウェブページへのアクセスに対して、その配信先ＩＤに対応付けられたメッセージを前記メッセージ記憶手段から取得して、そのメッセージを前記広告領域に組み込んだ前記ウェブページを表示するメッセージ表示制御手段と、前記配信先ＩＤ以外のＩＤによる前記ウェブページに対するアクセスに対しては、前記広告領域に所定の広告情報を組み込んだ前記ウェブページを表示する広告表示制御手段と、をコンピュータで実現したことを特徴とする。【０００８】  上記を方法の態様で把握すれば、コンピュータで実現するサーバ装置で実行する情報処理方法において、通信ネットワーク経由でアクセスしてくる各クライアントシステムに対して、予め決められた所定の広告領域が設けられたウェブページを配信する配信処理ステップと、いずれかの前記クライアントシステムから、メッセージと、配信先のユーザを識別する配信先ＩＤと、の入力を受け付けて、それらメッセージと配信先ＩＤとを対応付けて所定のメッセージ記憶手段に記憶させるメッセージ受付処理ステップと、前記メッセージ記憶手段に記憶されている配信先ＩＤによる前記ウェブページへのアクセスに対して、その配信先ＩＤに対応付けられたメッセージを前記メッセージ記憶手段から取得して、そのメッセージを前記広告領域に組み込んだ前記ウェブページを表示するメッセージ表示制御処理ステップと、前記配信先ＩＤ以外のＩＤによる前記ウェブページに対するアクセスに対しては、前記広告領域に所定の広告情報を組み込んだ前記ウェブページを表示する広告表示制御処理ステップと、をコンピュータで実行することを特徴とする。【０００９】  このように、送信元ユーザからのメッセージを、配信先ユーザがログイン状態となったウェブページの広告領域において、普段表示しているバナー広告に代えて表示することにより、あたかも配信先ユーザだけのために商業的広告枠が貸し切られたような表示態様が実現されるので、優越感を与えるような強力なインパクトで個人的なメッセージを伝達することが可能となる一方、配信先以外の大多数のウェブページには通常の広告を表示すればよいので、広告在庫全体に影響を与えることはない。【００１０】  なお、「前記メッセージ記憶手段に記憶されている配信先ＩＤによる前記ウェブページへのアクセスに対して、その配信先ＩＤに対応付けられたメッセージを前記メッセージ記憶手段から取得して、そのメッセージを前記広告領域に組み込んだ前記ウェブページを表示するメッセージ表示制御手段」は、「前記ウェブページへのアクセスに係るユーザＩＤを取得する手段」と、「取得した前記ユーザＩＤが前記メッセージ記憶手段に記憶されている配���先ＩＤかを判断する手段」と、「取得した前記ユーザＩＤが前記メッセージ記憶手段に記憶されている配信先ＩＤと判断された場合に、その配信先ＩＤに対応付けられたメッセージを前記メッセージ記憶手段から取得する手段」と、「取得した前記メッセージを組み込んだ前記ウェブページを、前記配信先ＩＤによる前記ウェブページへのアクセスに対して、前記配信手段を通じてアクセス元のクライアントシステムに対して表示する手段」と、具体的に分けて把握してもよい。【００１１】  本発明の他の態様は、上記いずれかの態様において、前記メッセージ表示制御手段は、表示しようとするウェブページが、メッセージを前記広告領域に組み込むことができるものとして予め決められた対象のウェブページであるか否かを判定し、そのような対象のウェブページの場合に、メッセージを前記広告領域に組み込むことを特徴とする。【００１２】  このように、個人間のメッセージの表示に用いるウェブページかを判定する構成により、ポータルサイトのトップページなど、運用ポリシーなどの事情に応じたメッセージ伝達が実現できる。【００１３】  本発明の他の態様は、上記いずれかの態様において、前記メッセージ受付手段は、前記メッセージごとに、前記広告領域が設けられ前記配信手段が配信するウェブページの中で、そのメッセージを表示すべきウェブページの指定を受け付けて、そのウェブページを特定するページ識別情報をそのメッセージ及び配信先ＩＤと対応付けて前記メッセージ記憶手段に記憶させ、前記メッセージ表示制御手段は、前記メッセージ記憶手段に記憶されている配信先ＩＤによるアクセス先のウェブページが、その配信先ＩＤに対応付けられている前記ページ識別情報と一致する場合に、その配信先ＩＤ及びページ識別情報に対応付けられたメッセージをそのウェブページの前記広告領域に組み込むことを特徴とする。【００１４】  このように、メッセージを表示したいページを送信側ユーザが自由に指定できる構成により、メッセージ伝達の目的や相手の関心といった個別具体的事情に適したページでの伝達を図ることができる。【００１５】  本発明の他の態様は、上記いずれかの態様において、前記メッセージ受付手段は、前記メッセージごとに、配信時期について指定を受け付けてそのメッセージ及び配信先ＩＤと対応付けて前記メッセージ記憶手段に記憶させ、前記メッセージ表示制御手段は、前記メッセージ記憶手段に記憶されている配信先ＩＤによるアクセスの日時が、その配信先ＩＤに対応付けられている前記配信時期と適合する場合に、その配信先ＩＤ及び配信時期に対応付けられたメッセージをそのウェブページの前記広告領域に組み込むことを特徴とする。【００１６】  このように、メッセージを表示したい日時やその範囲を送信側ユーザが自由に指定できる構成により、誕生日祝いなどメッセージの趣旨に応じたタイミングでの伝達を図ることができる。【００１７】  また、本発明は、以上の装置や方法に限らず、上記装置又は方法に対応する方法、装置やコンピュータ・プログラムの各態様も含むものである。
【発明の効果】
【００１８】  本発明によれば、不特定多数向けの広告領域の利用により、個人間のメッセージを強力なインパクトで伝達することができる。
【図面の簡単な説明】
【００１９】
【図１】本発明の実施形態の構成を、画面例及びデータ例と共に示す機能ブロック図。
【図２】本発明の実施形態における処理手順を示すフローチャート。
【図３】本発明の実施形態において、メッセージを表示するページを指定する画面を例示する図。
【発明を実施するための形態】
【００２０】  次に、本発明を実施するための形態（「実施形態」と呼ぶ）について、図に沿って説明する。なお、背景技術や課題などで既に述べた内容と共通の前提事項については適宜省略する。
【００２１】〔１．構成〕
本実施形態は、図１（構成図）に示すサーバ装置（以下「本装置」とも呼ぶ）に関するもので、本装置に対応する方法やコンピュータ・プログラムとしても把握可能である。
【００２２】  本装置１は、通信ネットワーク（図示省略）経由でアクセスしてくるクライアントシステム（パーソナルコンピュータＰＣ１，ＰＣ２や携帯電話端末装置など）にウェブページの表示を提供するウェブサーバ装置で、図１に示すように、一般的なコンピュータの構成として、少なくとも、ＣＰＵなどの演算制御部５と、外部記憶装置（ＨＤＤ等）や主メモリ等の記憶装置６と、通信ネットワークとの通信手段７（ＬＡＮアダプタなど）と、を有し、記憶装置６に予め記憶（インストール）した図示しない所定のコンピュータ・プログラムが演算制御部５を制御することで、図１に示す各手段などの要素（１０〜６５など）を実現する。
【００２３】  これら各要素のうち、情報を記憶する手段であるメッセージ記憶手段２０や広告記憶手段６５は、記憶装置６においてファイルや各種データベース（「ＤＢ」とも表す）、配列等の変数、システム設定値など任意の形式で実現するもので、そのうち広告記憶手段６５は、広告表示に用いる画像、又はＳｉｌｖｅｒｌｉｇｈｔやＦｌａｓｈ（それぞれ商標又は登録商標）などのインタラクティブ動画ファイル、クリック時の飛び先ウェブページ（いわゆるランディングページ）のＵＲＬなどの情報を予め記憶している。また、その他の情報処理を行う各要素（１０，３０など）は、以下のような各機能や処理を実現・実行する処理手段である。
【００２４】〔２．作用〕
すなわち、上記のように構成した本装置１では、配信手段４０が、通信ネットワーク経由でアクセスしてくる各クライアントシステムに対して、予め決められた所定の広告領域が設けられたウェブページを配信する（配信処理ステップ）。そして、この広告領域に通常は広告を組み込む一方、場合により個人的メッセージを組み込むという処理を、本実施形態では以下のように行う。その処理手順を図２のフローチャートに示す。
【００２５】〔２−１．メッセージ等の入力〕
まず、メッセージを伝達したい送信元のユーザが、自分の用いるクライアントシステムである例えばＰＣ（パーソナルコンピュータ）１から、所定のウェブページにアクセスして、メッセージを含む必要事項を入力し登録する。
【００２６】  すなわち、本装置１のメッセージ受付手段１０は、通信ネットワーク経由でアクセスしてくるクライアントシステムであるＰＣ１から、メッセージ（例えば「○○さん、結婚してください。」とする）と、このメッセージの配信先のユーザを識別する配信先ＩＤ（ここでは「ａｂｃ１２３」とする）と、について入力を受け付けて、それらメッセージと配信先ＩＤとを対応付けてメッセージ記憶手段２０に記憶させる（ステップＳ１０，Ｓ２０。メッセージ受付処理ステップ）。
【００２７】  具体的には、メッセージ受付手段１０は、図１左側の画面例Ｇ１に例示するような登録フォームを提供し（ステップＳ１０）、この登録フォームに入力されたメッセージを含む登録データを、「登録」ボタンＢ１の操作などの契機で取得し、メッセージ記憶手段２０に記憶させる（ステップＳ２０）。このような一件ごとのメッセージ、配信先ＩＤなどの情報の組である登録データの例を図１上部にデータ例Ｄとして示す。ここで、メッセージは、文字列に限らず、ユーザのアップロードする画像や、ＨＴＭＬ等によるウェブページデータ、ビデオレターのような動画像ファイルなど、形式は自由である。
【００２８】  なお、このような登録データを入力受付する条件として、送信元ユーザに所定の会員登録や、利用料金の決済などを求めてもよい。また、メッセージを表示する画面全体や表示欄などのデザイン（体裁）を定めるテンプレートの指定も受け付け、メッセージの一部をなすもの又は付加情報としてメッセージと共に記憶させるようにすれば、よりいっそう印象的・感動的なメッセージ伝達が実現できる。例えば、図１中の画面例Ｇ１では、テンプレートとして、選択ボックス（ドロップダウンメニュー）Ｓで「ハート」を選択した状態である。
【００２９】〔２−２．配信時期と対象ページの指定〕
また、本実施形態では、メッセージ受付手段１０は、メッセージごとに、前記登録データ（ステップＳ２０）の一環として、配信時期（ここでは「配信日付」とする）についても、指定を受け付けるとともにそのメッセージ及び配信先ＩＤと対応付けてメッセージ記憶手段２０に記憶させるものとする。この「配信時期」は、メッセージをその日時以降に表示すべき日付もしくは時刻又は日付と時刻の組合せであり、幅のある数日や時間帯などでよいが、ここでは簡潔な説明のために配信日付（例えば「２００９０３３１」）とする。
【００３０】  配信時期の指定は、具体的な日時を数字などで入力してもよいが、いくつかの幅のある時間帯枠の候補から選択する態様も可能である。なお、配信時期に幅があって始期だけでなく終期があるとき、該当の配信先ＩＤからのアクセスが一度もなく終期を過ぎると、メッセージは受領されなかったこととなる。
【００３１】  また、メッセージ受付手段１０は、メッセージごとに、前記登録データ（ステップＳ２０）の一環として、広告領域が設けられ配信手段４０が配信するウェブページの中で、そのメッセージを表示すべきウェブページの指定を受け付けて、そのウェブページを特定するページ識別情報（ＵＲＬや、システム固有のスペースＩＤやページ番号など）をそのメッセージ及び配信先ＩＤと対応付けてメッセージ記憶手段２０に記憶させる。
【００３２】  このようにウェブページを指定する画面の一例を図３に示す。この画面例Ｇ２では、メッセージ表示の対象とし得るウェブページ（「対象ページ」と呼ぶこととする）である候補一覧から、所望の候補の冒頭に表示されている各チェック欄Ｃにマウス操作でチェックを入れたうえ、「次へ」ボタンＢ２を操作することにより、一又は二以上の対象ページを所望の組合せで自由に指定することができる。対象ページからこのように指定したウェブページを「指定ページ」とも呼ぶこととし、指定ページは、データ例Ｄに示す「指定ＵＲＬ」の形で登録データの一環として、メッセージ受付手段１０がメッセージ記憶手段２０に記憶させる。
【００３３】  上記のような登録の後は、メッセージのあて先とした配信先ＩＤを持つ配信先ユーザから対象ページ（指定ページが指定されているときは指定ページ）へのアクセスを待つことになるが、送信元ユーザが配信先ユーザへ、該当するウェブサイトへのアクセスをそれとなく勧めるか否かは自由である。また、配信先ＩＤのユーザについて予め登録され又は送信元ユーザから入力された電子メールアドレスなどの通信先に対し本装置から電子メールなどでアクセスを勧める情報を伝達するように構成すれば、メッセージを受け取ってもらえる確率が改善できる。
【００３４】〔２−３．配信先ＩＤの検索とメッセージの取得〕
そして、メッセージ伝達の概要としては、メッセージ表示制御手段３０が、メッセージ記憶手段２０に記憶されている配信先ＩＤによる指定ページへのアクセスに対して、その配信先ＩＤに対応付けられたメッセージをメッセージ記憶手段２０から取得して、そのメッセージを前記広告領域に組み込んだウェブページを表示する（ステップＳ２５〜Ｓ３０。メッセージ表示制御処理ステップ）。
【００３５】  より具体的には、メッセージ表示制御手段３０は、まず、アクセスがＩＤを伴う場合、ページアクセス元のユーザＩＤを取得する（ステップＳ２５）。この際、過去のアクセス時に記録したいわゆるクッキーをアクセス元のクライアントシステムから読み出し、そのクッキーからユーザＩＤ又はユーザＩＤにサーバ側で変換可能な何らかの識別情報を取得できれば、アクセス元のユーザＩＤが特定でき、そのユーザがログイン中の状態ならばそのままユーザＩＤとして用い、ログイン中状態でなければ、パスワード入力などによるログインを求めたうえ、ページリクエストに対する処理を続行すればよい。
【００３６】  そして、メッセージ表示制御手段３０は、取得したアクセス元のユーザＩＤをメッセージ記憶手段２０から検索し、ユーザＩＤと一致する配信先ＩＤがヒットすれば（ステップＳ２６）、その配信先ＩＤに対応するメッセージを含む登録データをメッセージ記憶手段２０から取得する（ステップＳ２７）。ここで取得する登録データには、配信日付と、テンプレート、ページ識別情報すなわち指定ＵＲＬの各情報が含まれる。
【００３７】〔２−４．メッセージ又は広告の表示〕
メッセージ表示制御手段５０は、上記のようにメッセージ取得手段４０により、メッセージを含む登録データが取得された場合、そのアクセス先の対象ページのＵＲＬが、取得された登録データにおける配信先ＩＤに対応付けられている指定ＵＲＬと一致するか、すなわち指定ページか判断し（ステップＳ２８）、さらに、本装置１の内蔵クロックなどで特定される現在日時（つまり、メッセージ記憶手段２０に記憶されている配信先ＩＤによるアクセスの日時が）が、取得されたメッセージの配信先ＩＤと対応付けられている配信時期（ここでは配信日付「２００９０３３１」）と適合するか判断する（ステップＳ２９）。
【００３８】  その結果、今回のアクセスが指定ページと配信日付の双方を充足している場合、メッセージ表示制御手段５０は、そのメッセージ（つまり、登録データにおいて配信先ＩＤ、配信時期ならびにページ識別情報である指定ＵＲＬと対応付けられているメッセージ）を、その指定ページの広告領域に組み込んだウェブページのウェブページデータを生成し、このウェブページデータを配信手段４０からアクセス元のクライアントシステムである例えばＰＣ２へ配信させることで、そのウェブページを表示する（ステップＳ３０）。
【００３９】  ここで、図１の右下方に例示する画面Ｇ３は、送信元のユーザ指定したテンプレート「ハート」したがって、メッセージ「○○さん、結婚してください。」が表示されている状態を示す例である。なお、表示されたメッセージを確認した旨の確認操作を配信先ユーザから受け付けて、そのような確認操作の有無や日時を、メッセージを登録した送信元ユーザに対し通知し又は照会に応じる構成とすれば、当事者間のよりきめ細かな意思疎通の便宜に役立つ。さらに、メッセージに対するＹＥＳ／ＮＯや「喜んで」又は受諾／「ごめんなさい」又は拒絶、などの回答を選択肢や文字列入力などで受領し、同様に伝達すれば、意思疎通の完結に貢献できる。
【００４０】  一方、広告表示制御手段５０は、前記配信先ＩＤ以外のＩＤによるウェブページ（対象ページ）に対するアクセスに対して、広告記憶手段６５から読み出した画像など所定の広告情報を広告領域に組み込んだウェブページについて、そのウェブページデータを作成し、このウェブページデータを配信手段４０から配信させることで、表示し（ステップＳ５０。広告表示制御処理ステップ）、以降のアクセスについて処理（ステップＳ２５以降）を繰り返す。なお、年賀の挨拶など、同じ配信先ＩＤに対し、複数の発信元ユーザからのメッセージが同時に存在する場合、その配信先ＩＤからのウェブページ閲覧のたびに、各メッセージを順次表示することが考えられる。
【００４１】〔３．効果〕
以上のように、本実施形態では、送信元ユーザからのメッセージを、配信先ユーザがログイン状態となったウェブページの広告領域において、普段表示しているバナー広告に代えて表示することにより、あたかも配信先ユーザだけのために商業的広告枠が貸し切られたような表示態様が実現されるので、優越感を与えるような強力なインパクトで個人的なメッセージを伝達することが可能となる。
【００４２】  その一方、本実施形態では、配信先以外の大多数のウェブページには通常の広告を表示すればよいので、広告在庫（広告を表示できるウェブページの配信表示回数）全体に影響を与えることなく、個人向けサービス収入を得るビジネスモデルが実現できる。もちろん、メッセージの内容（集会の情報など）によっては、複数の配信先ＩＤを指定することにより、所望のグループ（大学のゼミ、門下生の団体、職場の同期会、各種サークルなど）内の複数人で共有してもよい。
【００４３】  また、本実施形態では上記のように、メッセージを表示したいページを送信側ユーザが自由に指定できる構成により、メッセージ伝達の目的や相手の関心といった個別具体的事情に適したページでの伝達を図ることができる。
【００４４】  また、上記のように本実施形態では、メッセージを表示したい日時を送信側ユーザが自由に指定できる構成により、誕生日祝いなどメッセージの趣旨に応じたタイミングでの伝達を図ることができる。
【００４５】〔４．他の実施形態〕
なお、上記実施形態は例示に過ぎず、本発明は、以下に例示するものやそれ以外の他の実施態様も含むものである。例えば、本発明において、各手段などの要素は、プログラム内蔵型もしくはノイマン型コンピュータの演算制御部に限らず、ワイヤードロジック等に基づく電子回路や、他の情報処理原理による情報処理組織で実現してもよい。また、各構成図、データの図、フローチャートの図などは例示に過ぎず、各要素の有無、その順序や具体的内容などは適宜変更可能である。
【００４６】  一例として、メッセージ登録の際、配信時期やテンプレートの指定を受け付ける機能は必須ではないし、また、上記実施形態では、メッセージを表示したいウェブページ（指定ＵＲＬ）を送信側ユーザが指定したが、送信側ユーザの指定によらず、サーバ装置で予め設定された対象ウェブページを対象としてメッセージを表示してもよい。この場合の対象ウェブページとしては、例えば、いわゆるポータルサイトにおいて、全体のトップページ（例えば、ｈｔｔｐ：／／ｗｗｗ．ｙａｈｏｏ．ｃｏ．ｊｐ／）や、特定のサービスやコーナーのトップページ（例えば、ｈｔｔｐ：／／ｓｈｏｐｐｉｎｇ．ｙａｈｏｏ．ｃｏ．ｊｐ／）もしくは各ページなどを自由に選択することができる。
【００４７】  この場合、メッセージ表示制御手段は、表示しようとするウェブページが、メッセージを前記広告領域に組み込むことができるものとして予め決められた対象のウェブページであるか否かを判定し、そのような対象のウェブページの場合に、メッセージを前記広告領域に組み込む。このようにすれば、個人間のメッセージの表示に用いるウェブページかを判定する構成により、ポータルサイトのトップページなど、運用ポリシーなどの事情に応じたメッセージ伝達が実現できる。
【００４８】  また、本出願にいう「広告領域」は、画像バナー広告等の表示エリア以外にも、不特定多数の閲覧者が目にする文字や画像などのウェブページ要素（コンテンツ情報）からなるコンテンツ部分としてもよい。例えば、ニューストピックス（例えば、ｈｔｔｐ：／／ｄａｉｌｙｎｅｗｓｙａｈｏｏ．ｃｏ．ｊｐ／ｆｃ／）の記事の一部に代えて又は記事の一つとして、「○○さんが○○さんにプロポーズ」のようにメッセージを表示させることによっても、個人間のメッセージを強力なインパクトで伝達することができる。
【００４９】  すなわち、本出願にいう「広告領域」に替えて、「不特定多数のウェブページ閲覧者向けのコンテンツ部分」とし、本出願の開示範囲である画像バナー広告等の表示エリア以外にも、不特定多数の閲覧者が目にする文字や画像などのウェブページ要素としてもよい。
【００５０】  この場合、既に開示した本発明の構成の一部を「そのメッセージを前記コンテンツ部分に組み込んだ前記ウェブページを表示するメッセージ表示制御手段と、前記配信先ＩＤ以外のＩＤによる前記ウェブページに対するアクセスに対しては、前記コンテンツ部分に所定のコンテンツ情報を組み込んだ前記ウェブページを表示する広告表示制御手段と、」と把握することができる。
【符号の説明】
【００５１】１  サーバ装置
ＰＣ（ＰＣ１，ＰＣ２）  パーソナルコンピュータ
５  演算制御部
６  記憶装置
７  通信手段
１０  メッセージ受付手段
２０  メッセージ記憶手段
３０  メッセージ表示制御手段
４０  配信手段
５０  広告表示制御手段
【図１】
2010250788.tif 000003
【図２】
2010250788.tif 000004
【図３】
2010250788.tif 000005